(57)【要約】      （修正有）【課題】火災報知器に対するいたずらを未然に防止する。【解決手段】火災報知器１の報知器本体部２には透明な覗き窓７と、覗き窓７を開閉する開閉扉１３が設けられており、覗き窓7の奥に、警報装置１５に対して火災を報知するための押しボタン３が設けられている。また、開閉扉１３の開閉を検知する検知手段（センサ１４）と、検知手段の検知結果が閉のとき、所定時間警報を発動する警報装置１５とが設けられている。いたずらをしようとして開閉扉１３を開くと警報装置１５が作動し、周囲に注意を喚起が促される。これにより、火災報知器に対するいたずらを防止することができる。【選択図】図１
2010165131.tif 000002
【特許請求の範囲】
【請求項１】
透明な覗き窓を突き破って押しボタンを押し込むことにより警報システムに通報する火災火報知器のいたずら防止装置であって、
前記覗き窓を開閉する開閉扉と、
該開閉扉の開閉を検知する検知手段と、
前記検知手段の検知結果が開のときに所定時間作動されて警報を発動する警報装置と、を備える火災報知器のいたずら防止装置。
【請求項２】
前記開閉扉が前記火災報知器の本体部又は火災報知器を取付けた建物の壁に取り付けられる請求項１記載の火災報知器のいたずら防止装置。
【請求項３】
前記開閉扉が前記覗き窓および押しボタンの視認を可能とする透明材料で形成された請求項１又は２記載の火災報知器のいたずら防止装置。
【請求項４】
透明な覗き窓を突き破って押しボタンを押し込むことにより警報システムに通報する火災火報知器であって、
前記覗き窓を開閉する開閉扉と、
該開閉扉の開閉を検知する検知手段と、
前記検知手段の検知結果が開のときに所定時間作動されて警報を発動する警報装置と、を備える火災報知器。
【請求項５】
前記開閉扉が前記火災報知器の本体部又は火災報知器が取付けられる建物の壁に取り付けられる請求項４記載の火災報知器。
【発明の詳細な説明】
【技術分野】
【０００１】
本発明は火災報知器及び火災報知器のいたずら防止装置に関するものである。
【背景技術】
【０００２】
映画館、学校、保育園、デパート等の多くの人間が集まる建物で火災が発生すると大事故につながることがある。そこで、火災を報知するための押しボタンを備える火災報知器（火災発信機）と、警報システム（火災受信機）とを有する防災システムが建物に設置されている（特許文献１）。
【０００３】
図５は、この種、従来の火災報知器と警報システムの一例を示す。
火災報知器１には、報知器本体部２と、火災を報知するための押しボタン３と、押しボタン３の電気的なスイッチングにより警報システム４に対して火災の発生を報知する通報回路５とが設けられている。火災報知器１の報知器本体部２は通路壁等の建物の壁１０に埋設されている。報知器本体部２の前面部は建物の壁１０に露出しており、火災報知器１の押しボタン３は、報知器本体部２の前面に開口する凹部６内に配置されている。凹部６の開口を塞ぐ透明な覗き窓７によってカバーされている。覗き窓７は薄く透明な板、例えば、円形のアクリル板で構成されており、指先で突き破ることが可能となっている。通報回路５は警報システム４に接続されており、押しボタン３の押し込みによってＯＮとされる。押しボタン３がＯＮとなると警報システム４がＯＮとなり、警報システム４に接続されているスピーカ９又はベルの鳴動により周囲に警報が発せられる。
【０００４】
図６は映画館に設けられた警報システムを示す。
映画館の警報システム４は、火災報知器１の押しボタン３の押し込みにより警報システム４が作動すると音響システム８が停止する。映画館では、警報システム４が作動するだけでは、警報が音響システム８の音声によって打ち消され、避難に遅れが発生してしまう虞がある。しかし、このように警報システム４の作動に連動して音響システム８が停止すると、音響システム８に起因した避難遅れを防止することができる。
【先行技術文献】
【特許文献】
【０００５】
【特許文献１】特開２００５−１４１５３６号公報
【発明の概要】
【発明が解決しようとする課題】
【０００６】
前記したように、火災による被害を最小とし、迅速な避難を可能にするために、建物に火災報知器が設けられており、火災報知器には、火災を報知するための押しボタンが設けられている。また、誤って押しボタンが押し込まれるのを防止するため覗き窓が設けられている。しかし、覗き窓は、火災の通報時に指先で突き破る必要があることから、強度をむやみに大きくできないので、いたずらにより、押しボタンが押し込まれ、警報システムが作動してしまうことがある。特に、暗がりで人物の特定が難しい映画館ではいたずらが多発し、映画を鑑賞している視聴者に多大な被害を及ぼしている。
【０００７】
本発明は前記課題に鑑みて案出されたもので、その目的は、火災報知器に対するいたずらを防止し、警報システムの作動を防止できるようにすることにある。
【課題を解決するための手段】
【０００８】
本発明に係る火災報知器のいたずら防止装置は、透透明な覗き窓を突き破って押しボタンを押し込むことにより警報システムに通報する火災火報知器のいたずら防止装置であって、前記覗き窓を開閉する開閉扉と、該開閉扉の開閉を検知する検知手段と、前記検知手段の検知結果が開のときに所定時間警報を発動する警報装置とを備えたものである。
【０００９】
この場合、前記開閉扉は、好ましくは、前記火災報知器の本体部又は火災報知器を取付けた建物の壁に取り付けられる。
【００１０】
また、前記開閉扉は、好ましくは、前記覗き窓および押しボタンの視認を可能とする透明材料で形成される。
【００１１】
本発明に係る火災報知器は、透明な覗き窓を突き破って押しボタンを押し込むことにより警報システムに通報する火災火報知器であって、前記覗き窓を開閉する開閉扉と、該開閉扉の開閉を検知する検知手段と、前記検知手段の検知結果が開のときに所定時間作動されて警報を発動する警報装置と、を備える。
【００１２】
この場合、前記開閉扉は、好ましくは、前記火災報知器の本体部又は火災報知器が取付けられる建物の壁に取り付けられる。
【発明の効果】
【００１３】
本発明によれば、開閉扉が開となると警報装置が作動する。いたずらをしようとする者は、押しボタンを押し込む前に警報装置が作動するので、驚いて逃走することになる。この結果、火災報知器のいたずらが防止され、いずらによる警報システムの作動を防止することができる。
【図面の簡単な説明】
【００１４】
【図１】本発明の第１実施形態にかかるいたずら防止装置を示す概略図である。
【図２】警報装置の取り付け状態を示す解説図
【図３】警報装置及びセンサの接続状態を示す解説図である。
【図４】本発明の第２実施形態にかかるいたずら防止装置を示す概略図である。
【図５】従来の火災報知器と警報システムを示す概略図である。
【図６】映画館に設けられた警報システムを示す概略図である。
【発明を実施するための形態】
【００１５】
以下、添付図面を参照して本発明に係る火災報知器のいたずら防止装置について説明する。
【００１６】
（第１実施形態）
図１は本発明の第１実施形態にかかるいたずら防止装置の一例を示す概略図である。図１、図５に示すように、建物の通路壁等の壁１０には火災報知器（火災発信機）１が取り付けられ、建物の管理室等に警報システム（火災受信機）４が配置される。
【００１７】
図１に示すように、いたずら防止装置１１は、火災報知器１の報知器本体部２の前面に、蝶番等の開閉部材１２を介して開閉自在に支持される開閉扉１３と、開閉扉１３の開閉を検知するセンサ１４と、警報によりいたずらを防止するための警報装置１５とを備える。
開閉扉１３は、覗き窓７を視認できるようにするために、透明な板材、例えば、アクリル板から形成されており、報知器本体部２の前面に覗き窓７を覆い隠すように重ね合わされた後、報知器本体部２の前面に前記開閉部材１２を介して開閉自在に取り付けられる。
開閉部材１２は、この実施の形態では、報知器本体部２の上部で、かつ覗き窓7の上方に配置され、開閉部材１２の支持軸１６により水平軸回りに回動する。ここで、開閉扉１３を水平軸回りに回動する構成とするのは、重力を利用して開閉扉１３を閉とすることができるようにするためである。
図２はセンサ１４及び警報装置１５を示す解説図、図３は警報装置１５とセンサ１４との接続関係を示す解説図である。
【００１８】
センサ（検知手段）１４及び警報装置１５は開閉扉１３の側面に取り付けられる。
警報装置１５は、開閉扉１３の側面に取り付けられた警報装置本体部１７と、警報を出力するスピーカ１８と、スピーカ１８に対して所定周波数の警報信号を出力する警報出力回路１９とを備える。センサ１４は、報知器本体部２の前面に対する警報装置本体部１７の着座面に開口する検知体収容部２０に挿入されたバー状の検知体２１と、バー状の検知体２１によってスイッチングされるスイッチング回路２２と、スイッチング回路２２のＯＮによって動作する警報出力回路１９とを備える。
【００１９】
検知体２１は、警報装置本体部１７の検知体収容部２０に挿入された状態で検知体収容部２０内のリターンスプリング２４によって押し戻されるようになっている。このため、開閉扉１３を開くと検知体２１の先端部側はリターンスプリング２４によって外側に突き出し、開閉扉１３を閉じると検知体収容部２０内に没入する。
【００２０】
スイッチング回路２２の接点２５は、開閉扉１３の開により検知体２１の先端部側が警報装置本体部１７の前面から所定長さ突出するとＯＮとなる。また、スイッチング回路２２の接点２５は、開閉扉１３の閉により検知体２１の先端が検知体収容部２０内に挿入されたとき、ＯFFとなる。スイッチング回路２２の接点２５がＯＮとなると、警報出力回路１９がＯＮとなり、警報出力回路１９から所定周波数の警報信号がスピーカ１８に出力される。このように、検知体２１は、開閉扉１３の開を検知すると、警報出力回路１９を作動させ、スピーカ１８から警報を出力させる。また、開閉扉１３の閉を検知すると、警報出力回路１９を停止し、スピーカ１８からの警報の出力を禁止する。
【００２１】
次に、図１〜図３を参照して火災報知器１のいたずら防止装置の操作と動作について説明する。
（警報停止時（通常時））
図２に示すように、開閉扉１３は通常は自重により閉となっている。このとき、開閉扉１３の着座面は報知器本体部２の前面に着座しており、検知体２１はリターンスプリング２４の付勢力により、スイッチング回路２２をＯＦＦとし、警報出力回路１９をＯＦＦとしてスピーカ１８への警報の出力を禁止している。これにより、通常は、スピーカ１８から警報が出力されることはない。
【００２２】
（いたずら時）
いたずらの際は、開閉扉１３を開くと、検知体２１がリターンスプリング２４の付勢力により外側に押し出される。検知体２１の押し出しにより、スイッチング回路２２がＯＮとなると、警報出力回路１９がＯＮとなり、スピーカ１８から警報が出力される。いたずらをしようとした者は、スピーカ１８から警報が出力されると周囲に注意が喚起されるので、覗き窓７を突き破って押しボタン３を押し込むことなくその場から逃走する。
なお、警報出力回路１９の作動時間は、タイマーにより所定時間、例えば、１５秒から３０秒とするとよい。これは、タイマーの設定時間を１５秒以下とすると、再度、いたずらをされる虞があり、３０秒を経過すると周囲に対する迷惑が大きくなるからである。
【００２３】
（火災発見時）
まず、開閉扉１３を開く。このとき、スイッチング回路２２がＯＮとなり、警報出力回路１９がＯＮとなってスピーカ１８から警報が出力される。しかし、火災報知器１の覗き窓７には「覗き窓を突き破って押しボタン３を押し込む」旨の指示が表示されているので、指先で覗き窓７を突き破り、押しボタン３を押し込む動作を行うことになる。これにより警報システム４が作動し、スピーカ９から出力される警報又はベルの鳴動によって周囲に退避が促される。なお、映画館の警報システム４の場合、音響システム８が警報システム４と連動して停止するので、避難遅れが発生することはない。
【００２４】
（第２実施形態）
この実施の形態は火災報知器１を加工せずに建物の壁１０に開閉扉を取り付けて火災報知器１ごと覗き窓７を開閉し、いたずらを防止できるようにしたものである。以下、本実施形態にかかる火災報知器１のいたずら防止装置を図４〜６を参照して説明するが、第１実施形態と同一ないし同一機能の構成については同一符号を付し、詳細な説明は省略するものとする。
【００２５】
図４は本実施形態にかかるいたずら防止装置を示す概略図である。
開閉扉１３ａは、覗き窓７及び押しボタン３を視認できるようにするため、透明材料、例えば、アクリルから形成されている。本実施形態では、開閉扉１３ａは、覗き窓７を火災報知器１ごと開閉するため、火災報知器１の前面部を収容する箱型に形成されており、壁１０の火災報知器１の上方部に蝶番などの開閉部材１２を介して取り付けられ、水平軸回りに回動する。センサ（検知手段）１４は、開閉扉１３ａの側面に取り付けられており、警報装置１５は、建物の壁１０の前面に取り付けられている。
センサ１４は図３にて説明したように、スイッチング回路２２と警報装置１５の警報出力回路１９とにより開閉扉１３ａの開閉を検知する。なお、スイッチング回路２２と警報装置１５の警報出力回路１９とは有線により接続してもよいし、アンテナを用いた無線により接続してもよい。
【００２６】
検知体２１とスイッチング回路２２により開閉扉１３ａの閉が検出されると警報出力回路１９がＯＦＦとなり、警報出力回路１９からスピーカ１８への警報の出力が禁止される。
検知体２１とスイッチング回路２２により開閉扉１３ａの開が検知されると警報出力回路１９がＯＮとなり、警報出力回路１９からスピーカ１８に所定周波数の警報信号が出力される。これにより、いたずらを防止することができる。また、いたずらにより覗き窓７が突き破られることが防止されるので、覗き窓７の寿命を延ばすことができる。
なお、本実施の形態では、警報装置１５を壁１０に取り付ける説明をしたが、第１実施形態と同様に開閉扉１３ａに取り付けるようにしてもよい。また、警報出力回路１９は、第１実施形態と同様にタイマーにより所定時間、例えば、１５秒から３０秒とするとよい。
【００２７】
本発明の実施の形態において、次のようにしてもよい。
【００２８】
（１）磁気センサ又は光センサを用いて開閉扉１３，１３ａの開閉を検知し、開閉結果に基づいて警報装置１５を作動するようにしてもよい。
【００２９】
（２）いたずらを防止するための警報に代えて火災報知器１の手順（案内）を出力させるようにしてもよい。このようにしても音声が周囲に発せられる周囲に注意が喚起されるので警報と同様の効果が得られ、いたずらを防止することができる。また、警報に代えて火災報知器１の手順（案内）を出力させると、火災の報知時に、警報装置が作動しても安心して警報システム４に火災を報知することができる。
【００３０】
（３）スピーカ１８をベルに変えてベルを鳴動する構成としてもよい。
【００３１】
また、本発明は、透明な覗き窓を突き破って押しボタンを押し込むことにより警報システムに通報する火災火報知器であって、前記覗き窓を開閉する開閉扉と、該開閉扉の開閉を検知する検知手段と、前記検知手段の検知結果が開のときに所定時間作動されて警報を発動する警報装置と、を備える火災報知器にも適用されるものとする。この場合、開閉扉は、好ましくは、前記火災報知器の本体部（報知器本体部）又は前記火災報知器が取付けられる建物の壁に取り付けられるものとする。
【００３２】
このように本発明は種々の改変が可能であり、本発明は、このように改変された発明に及ぶことは当然である。
【符号の説明】
【００３３】
１  火災火報知器
３  押しボタン
４  警報システム
７  覗き窓
１３  開閉扉
１４  センサ  （検知手段）
１５  警報装置
【図１】
2010165131.tif 000003
【図２】
2010165131.tif 000004
【図３】
2010165131.tif 000005
【図４】
2010165131.tif 000006
【図５】
2010165131.tif 000007
【図６】
2010165131.tif 000008